(57)【要約】      （修正有）【課題】静電容量の変化量が小さい場合にも増幅効率が高い、すなわちノイズ特性に優れ、且つタッチ感度が高いタッチパネルの駆動装置を提供する。【解決手段】タッチパネルの駆動装置は、複数の画素を含む。各画素は、該画素の電荷が格納される第１のキャパシタに接続され、静電容量の変化に伴う電荷の変化量が２つの入力端子から入力され、増幅された電圧を出力する差動増幅器と、上記差動増幅器の出力を受信し、該出力をデジタル値に変換するアナログ／デジタル変換部と、正の電圧及び負の電圧を上記差動増幅器に出力し、基準電圧値を較正する基準電圧較正部と、上記アナログ／デジタル変換部の電圧入力範囲内の値になるように上記差動増幅器の２つの出力を較正するエラー較正部と、上記アナログ／デジタル変換部の電圧入力範囲を超える上記差動増幅器の２つの出力値を上記エラー較正部にフィードバックする制御部と、を含む。【選択図】図２
2011198367.tif 000002
【特許請求の範囲】
【請求項１】
複数の画素を含むタッチパネルであって、各画素は、該画素の電荷が格納される第１のキャパシタに接続される、前記タッチパネルと、
前記タッチパネルの前記第１のキャパシタの静電容量の変化に伴う電荷の変化量が２つの入力端子から入力され、該電荷の変化量を増幅して、２つの出力端子から増幅された電圧を出力する差動増幅器と、
入力としての前記差動増幅器の出力を受信し、該出力をデジタル値に変換するアナログ／デジタル変換部と、
正の電圧及び負の電圧を前記差動増幅器に出力し、基準電圧値を較正する基準電圧較正部と、
正の電圧及び負の電圧を前記差動増幅器に出力し、前記アナログ／デジタル変換部の電圧入力範囲内の値になるように前記差動増幅器の２つの出力を較正するエラー較正部と、
前記アナログ／デジタル変換部の電圧入力範囲を超える前記差動増幅器の２つの出力値を前記エラー較正部にフィードバックする制御部と
を含むことを特徴とするタッチパネルの駆動装置。
【請求項２】
前記第１のキャパシタの静電容量の変化に伴う電圧が前記差動増幅器の２つの入力端子に入力される回路経路にそれぞれキャパシタを設けることを特徴とする請求項１に記載のタッチパネルの駆動装置。
【請求項３】
前記基準電圧較正部の前記正の電圧及び負の電圧が前記差動増幅器に入力される回路経路にそれぞれキャパシタを設けることを特徴とする請求項１に記載のタッチパネルの駆動装置。
【請求項４】
前記基準電圧較正部の前記正の電圧と負の電圧との差に、基準電圧較正部に接続されるキャパシタの電気容量比を乗じて得た値にて前記差動増幅器からの２つの出力を較正することを特徴とする請求項３に記載のタッチパネルの駆動装置。
【請求項５】
前記エラー較正部の前記正の電圧及び負の電圧が前記差動増幅器に入力される回路経路にそれぞれキャパシタを設けることを特徴とする請求項１に記載のタッチパネルの駆動装置。
【請求項６】
前記エラー較正部の前記正の電圧と負の電圧との差に、エラー較正部に接続されるキャパシタの電気容量比を乗じて得た値にて前記差動増幅器からの２つの出力を較正することを特徴とする請求項５に記載のタッチパネルの駆動装置。
【請求項７】
前記制御部は、フレーム単位で前記差動増幅器からの出力を制御することを特徴とする請求項１に記載のタッチパネルの駆動装置。
【発明の詳細な説明】
【技術分野】
【０００１】
本発明は、タッチパネルの駆動装置に係り、より詳しくは、タッチによる静電容量の変化に伴う電圧を増幅する差動増幅器と、外部環境による出力電圧のドリフト（ｄｒｉｆｔ）を較正する較正部とを含むタッチパネルの駆動装置に関する。
【背景技術】
【０００２】
図１は、従来技術によるタッチパネルの駆動装置を示す（例えば特許文献１，２参照）。図１を参照すると、従来のタッチパネルの駆動装置では、タッチパネル１０に指先が接触すると、その接触された画素に連結されたキャパシタＣｍの静電容量の変化に伴う電圧が単一出力増幅器２０に入力され、増幅された電圧値に増幅するようになる。
【０００３】
このとき、出力電圧Ｖｏは、次式１のように示すことができる。
【０００４】
【数１】
2011198367.tif 000003
上記式中、Ｖｐｕｌは、図１のＹチャンネルの各画素に入力されるパルス電圧を表す。
【０００５】
【数２】
2011198367.tif 000004
であるため、
【０００６】
【数３】
2011198367.tif 000005
になる。
【０００７】
例えば、タッチがない状態でＣｍをＣとし、Ｃｆを２Ｃとすると、Ｖｏは０．５Ｖｐｕｌになる。
タッチが発生してタッチパネルのＣｍが０．７５Ｃに変化すると、Ｃｆは２Ｃを保っているのでＶｏは０．３７５Ｖｐｕｌになる。
【０００８】
すなわち、タッチがない状態からタッチが発生すると、Ｖｏの変化値は０．１２５Ｖｐｕｌになる。
以下、外部環境によってパネルに変化が発生した場合について考えてみる。
【０００９】
タッチがない状態でタッチパネルのＣｍが２Ｃに変化すると、Ｃｆは２Ｃを保っているのでＶｏはＶｐｕｌになり、その結果、Ｖｏがアナログ／デジタル変換部の入力範囲を超え、飽和してしまうという不具合が生じ得る。
【００１０】
また、タッチパネルのＣｍが２Ｃに変化した状態でタッチが発生すると、Ｃｍが１．７５Ｃに変更され、Ｃｆは２Ｃを保っているのでＶｏは０．８７５Ｖｐｕｌになり、その結果、Ｖｏがアナログ／デジタル変換部の入力範囲を超え、飽和してしまうという不具合が生じ得る。
【００１１】
したがって、従来のタッチパネルの駆動装置では、パネルの変化及び素子の工程上の散布までをも考慮すれば、Ｃｆをより大きくする必要があるが、これは出力の感度のさらなる低下につながりかねない。
【先行技術文献】
【特許文献】
【００１２】
【特許文献１】韓国特許出願第１０−２００７−００８２９５９号明細書
【特許文献２】韓国特許出願第１０−２００７−００８２６４３号明細書
【発明の概要】
【発明が解決しようとする課題】
【００１３】
本発明は、上述したような従来技術の問題点を解決するためになされたものであって、その目的は、Ｃｍの静電容量の変化量が小さい場合にも増幅効率が高い、すなわちノイズ特性に優れ、且つタッチ感度が高いタッチパネルの駆動装置を提供することである。
【００１４】
本発明の他の目的は、周辺環境またはパネルの変化に従って出力電圧のドリフトが発生しても、アナログ／デジタル変換部の入力範囲内に出力電圧を較正することにより、出力電圧が飽和しないようにするタッチパネルの駆動装置を提供することである。
【課題を解決するための手段】
【００１５】
上記目的を達成するための本発明によるタッチパネルの駆動装置は、複数の画素を含み、各画素が該画素の電荷が格納される第１のキャパシタに接続されるタッチパネルと、上記タッチパネルの上記第１のキャパシタの静電容量の変化に伴う電荷量の変化を２つの入力端子から入力され、それを増幅して、２つの出力端子から増幅された電圧を出力する差動増幅器と、上記差動増幅器からの出力をデジタル値に変換するアナログ／デジタル変換部と、正の電圧及び負の電圧を上記差動増幅器に出力し、基準電圧値を較正する基準電圧較正部と、正の電圧及び負の電圧を上記差動増幅器に出力し、上記アナログ／デジタル変換部の電圧入力範囲内の値になるように上記差動増幅器の２つの出力を較正するエラー較正部、及び上記アナログ／デジタル変換部の電圧入力範囲を超える上記差動増幅器の２つの出力値を上記エラー較正部にフィードバックする制御部と、を含む。
【００１６】
このとき、上記第１のキャパシタの静電容量の変化に伴う電圧が上記差動増幅器の２つの入力端子から入力される回路経路にそれぞれキャパシタを設ける。
このとき、上記基準電圧較正部の上記正の電圧及び負の電圧が上記差動増幅器に入力される回路経路にそれぞれキャパシタを設ける。
【００１７】
このとき、上記基準電圧較正部の上記正の電圧と負の電圧との差に、基準電圧較正部に接続されるキャパシタの電気容量比を乗じて得た値にて上記差動増幅器からの２つの出力を較正することができる。
【００１８】
このとき、上記エラー較正部の上記正の電圧及び負の電圧が上記差動増幅器に入力される回路経路にそれぞれキャパシタを設ける。
このとき、上記エラー較正部の上記正の電圧と負の電圧との差に、エラー較正部に接続されるキャパシタの電気容量比を乗じて得た値にて上記差動増幅器からの２つの出力を較正することができる。
【００１９】
このとき、上記制御部は、フレーム単位で上記差動増幅器からの出力を制御することができる。
【発明の効果】
【００２０】
以上で説明した本発明によるタッチパネルの駆動装置の効果について説明すると、次のとおりである。
外部タッチ入力による画素のキャパシタに格納される電荷の変化量が小さい場合にも増幅率を向上させることにより、タッチの認識感度を増大させることができる。
【００２１】
また、周辺環境またはパネルの変化に従って出力電圧のドリフトが発生する場合にも、アナログ／デジタル変換部の入力範囲内に出力電圧を較正することにより、出力電圧が飽和しないようにする。
【図面の簡単な説明】
【００２２】
【図１】従来技術によるタッチパネルの駆動装置を示す図である。
【図２】本発明の一実施形態によるタッチパネルの駆動装置の構成を示す図である。
【図３】本発明の実施形態による差動増幅器の構造を示す図である。
【図４】本発明の実施形態による基準電圧較正部及びエラー較正部による較正効果を示す図である。
【図５】本発明の実施形態による基準電圧較正部及びエラー較正部による較正効果を示す図である。
【図６】本発明によるタッチパネルの駆動装置の制御のための信号のタイミングを示す図である。
【図７】図６に示すタイミング図に示された信号にて制御される差動増幅器の構成要素をそれぞれ示す図である。
【発明を実施するための形態】
【００２３】
本発明の他の目的、特徴及び利点は、添付した図面を参照した実施形態の詳細な説明により明らかになるであろう。
以下、上記目的を具体的に実現することのできる本発明の好適な実施形態について、添付の図面を参照して説明する。なお、図面に図示され、またそれに基づいて説明される本発明の構成や作用は、あくまでも一つの実施形態であるに過ぎず、これによって本発明の技術的思想やその核心構成及び作用が制限されるものではない。
【００２４】
図２は、本発明の一実施形態によるタッチパネルの駆動装置の構成を示す。図２を参照すると、タッチパネルの駆動装置は、タッチパネル１００と、差動増幅器２００と、サンプリング部３００と、マルチプレクサ４００と、アナログ／デジタル変換部５００と、基準電圧較正部６００と、エラー較正部７００と、制御部８００と、を含む。
【００２５】
上記タッチパネル１００は、複数のＹチャンネル及びＸチャンネルを含んでいてよく、Ｙチャンネル及びＸチャンネルが構成する各画素は電荷が格納されるキャパシタＣｍに接続される。すなわち、指先などがタッチパネルに接触すると、その接触されたタッチパネルの表面に対応する画素のキャパシタＣｍの静電容量に変化が発生するようになる。このような静電容量の変化を感知することでタッチを認識し、タッチされた領域の位置を認識することができるようになる。
【００２６】
上記差動増幅器２００では、タッチパネルのキャパシタＣｍの静電容量の変化に伴う電荷量の変化が正（＋）の入力端子から入力され、負（−）の入力端子に接続されたＣｍ'を介して反転パルスが供給される。差動増幅器２００は、２つの入力に現れる電荷量の差を増幅し、負（−）と正（＋）の２つの出力端子から増幅された電圧を出力する。差動増幅器２００の詳細な回路構造については、後で図３を参照して説明することにする。また、互いに位相が反転した２つのパルス電圧を用い、従来よりも低い電圧でも従来と同じ信号増幅が可能となる。
【００２７】
上記サンプリング部３００では、上記差動増幅器２００からのチャンネルごとの出力電圧を格納した後、マルチプレクサ４００を介して上記差動増幅器からの出力電圧のうち２つをアナログ／デジタル変換部５００へ送る。
【００２８】
上記アナログ／デジタル変換部（ａｎａｌｏｇ−ｔｏ−ｄｉｇｉｔａｌ  Ｃｏｎｖｅｒｔｅｒ：ＡＤＣ）５００では、上記差動増幅器からの出力をデジタル値に変換してから制御部８００へ送る。
【００２９】
上記基準電圧較正部６００では、正（＋）の電圧及び負（−）の電圧を上記差動増幅器に出力して、基準電圧値を較正することができる。このとき、基準電圧較正部６００は、デジタル／アナログ変換器（ｄｉｇｉｔａｌ−ｔｏ−ａｎａｌｏｇ  Ｃｏｎｖｅｒｔｅｒ：ＤＡＣ）から構成されていればよく、また、設計者によって所定の基準電圧値が与えられていればよい。なお、基準電圧較正部には、本発明の全体的な較正の開始点または基準点と言える電圧として、タッチ時に電圧が低下するという性質を勘案すれば、タッチ時の電圧低下が大きくなって０Ｖよりも小さくなることでＡＤＣの入力範囲を下回る場合を避けるために、ＡＤＣの入力範囲の半分よりは大きい値を与えればよい。また、基準電圧較正部は、本発明による差動増幅器の出力が供給電圧で飽和しないようにする役割も併せ持つ。
【００３０】
上記エラー較正部７００では、正（＋）の電圧及び負（−）の電圧を上記差動増幅器に出力して、上記アナログ／デジタル変換部の電圧入力範囲内の値になるように上記差動増幅器の２つの出力を較正することができる。このとき、エラー較正部７００は、デジタル／アナログ変換器（ｄｉｇｉｔａｌ−ｔｏ−ａｎａｌｏｇ  Ｃｏｎｖｅｒｔｅｒ：ＤＡＣ）から構成されていればよい。
【００３１】
上記基準電圧較正部６００及び上記エラー較正部７００の差動増幅器の出力に及ぼす較正効果について、図３の回路を参照して説明することにする。
上記制御部８００では、アナログ／デジタル変換部の電圧入力範囲を超える上記差動増幅器からの２つの出力値に対する較正の要否を判断し、必要な補正値を上記エラー較正部へフィードバックする。すなわち、デジタル値にて上記エラー較正部７００に対して差動増幅器の出力電圧値がアナログ／デジタル変換部の電圧入力範囲を超えていることを知らせると、エラー較正部７００では、これをアナログ値に変換して２つの正と負の電圧を差動増幅器２００に出力することで、差動増幅器の出力電圧値を補正する仕組みとなっている。このとき、制御部では、フレームごとにエラー較正のためのフィードバックが可能である。
【００３２】
これについて詳しく説明すると、ＡＤＣの出力がいずれも「ハイ（ｈｉｇｈ）」であるか、またはいずれも「ロー（ｌｏｗ）」である場合、出力が既にＡＤＣの入力範囲を超えているので、ＡＤＣはこの電圧が正確に何ボルト（Ｖｏｌｔ）であるのかは分からなくなる。したがって、基準電圧からＡＤＣ入力範囲の最大あるいは最小値の差だけエラー較正部にデジタルコードにてフィードバックすることができる。仮に、このようにしたにもかかわらず、ＡＤＣの出力が依然としていずれも「ｈｉｇｈ」であるか、またはいずれも「ｌｏｗ」になれば、上記のような動作が繰り返し行われるようになる。すなわち、ＡＤＣの出力がいずれも「ｈｉｇｈ（ｏｖｅｒｆｌｏｗ）」あるいはいずれも「ｌｏｗ（ｕｎｄｅｒｆｌｏｗ）」が発生しなくなるまで繰り返し行われるようになる。
【００３３】
上記制御部８００では、上記差動増幅器によって増幅され上記基準電圧較正部及びエラー較正部によって較正された出力電圧が入力されると、それに基づいて外部タッチの発生の有無を感知し、且つ外部タッチが発生した位置を感知するようになる。
【００３４】
図３は、本発明の実施形態による差動増幅器の構造を示す。
図３を参照すると、差動増幅器では、上記タッチパネルの各画素に接続されているキャパシタＣｍの静電容量の変化に伴う電荷量が上記差動増幅器の１つの入力端子に入力され、増幅器に接続されている他のＣｍ'を介してＴＸの反転パルスが供給されることで２つの入力に現れる電荷量の差を増幅するようになる。
【００３５】
ＴＸとＴＸＢにてそれぞれ駆動されるＣｍとＣｍ'を介して接続される２つの入力、２つの出力を有する本発明の実施形態による差動増幅器の出力電圧は、次式４のように示すことができる。ＴＸはパネルを駆動するパルスを表し、ＴＸＢは、ＴＸとは逆の位相を有するパルスであって、それぞれはＶｐｕｌの大きさを有している。
【００３６】
【数４】
2011198367.tif 000006
このとき、上記式４は、本発明の基準電圧較正部及びエラー較正部の較正効果を適用していない増幅された出力電圧のことを意味する。
【００３７】
ＴＸの位相と反転した位相を有するＴＸＢの追加によって、差動増幅器２００は、従来技術より高い電圧にてＴＸを駆動するような効果を有することで、より高い増幅率を得ることができる。また、従来のものと同じ効果を奏するために、より低い電圧でも同じ増幅率が得られる。
【００３８】
上記基準電圧較正部６００の上記正の電圧及び負の電圧が上記差動増幅器に入力される回路経路にそれぞれキャパシタＣｔを設ける。
すなわち、基準電圧較正部から出力される２つの正と負の出力であるＶｏｓｐ及びＶｏｓｎはＣｔに格納され差動増幅器に適用される。上記基準電圧較正部の上記正の電圧と負の電圧との差に、基準電圧較正部に接続されるキャパシタの電気容量比であるＣｔ／Ｃｆを乗じて得た値にて上記差動増幅器からの２つの出力を較正する。
【００３９】
上記エラー較正部７００の上記正の電圧及び負の電圧が上記差動増幅器に入力される回路経路にそれぞれキャパシタＣｂを設ける。
すなわち、エラー較正部から出力される２つの正と負の出力であるＶｐｂｓ及びＶｎｂｓはＣｂに格納され差動増幅器に適用される。上記エラー較正部の上記正の電圧と負の電圧との差に、エラー較正部に接続されるキャパシタの電気容量比であるＣｔ／Ｃｆを乗じて得た値にて上記差動増幅器からの２つの出力を較正する。
【００４０】
本発明による差動増幅器の較正された出力電圧は、次式５のように示すことができる。
【００４１】
【数５】
2011198367.tif 000007
このとき、Ｖｐｕｌは、図１のＹチャンネルの各画素に入力されるパルス電圧を表す。Ｖｐｂｓ及びＶｎｂｓは、エラー較正部から出力される２つの正の電圧と負の電圧を表し、Ｖｏｓｐ及びＶｏｓｎは、基準電圧較正部から出力される２つの正の電圧と負の電圧を表す。
【００４２】
実施形態を挙げて、本発明のタッチパネルの駆動装置による差動増幅器の出力電圧、すなわち差動増幅器からの２つの出力の差（ＳＯＰ−ＳＯＮ）について説明することにする。
【００４３】
先ず、タッチがない場合、Ｖｐｕｌとして１．８Ｖを与え、Ｖｏｓｐ−Ｖｏｓｎを１Ｖと設定する。Ｃｍ及びＣｆをＣとし、Ｃｔは２Ｃとする。
したがって、この場合の出力電圧値（ＳＯＰ−ＳＯＮ）は、上記式５に適用すると、２Ｖｐｕｌ−２（Ｖｏｓｐ−Ｖｏｓｎ）＋２（Ｖｐｂｓ−Ｖｎｂｓ）になる。このとき、アナログ／デジタル変換部の出力は８１９Ｃｏｄｅ＠１０Ｂｉｔとなる。すなわち、２Ｖｐｕｌ−２（Ｖｏｓｐ−Ｖｏｓｎ）＋２（Ｖｐｂｓ−Ｖｎｂｓ）＝２＊１．８−２＊１＋４．８＊０＝１．６（エラー較正部の出力が０Ｖであると仮定）になり、ＡＤＣの入力範囲が０〜２Ｖである場合、１ｃｏｄｅ＝２Ｖ／１０２４=１．９５３ｍＶになるため１．６Ｖ／１．９５３ｍＶ＝８１９．２Ｃｏｄｅになり、この結果、略８１９Ｃｏｄｅとなる。
【００４４】
この場合、出力電圧がＡＤＣの入力範囲内であるので、オフセットが不要である。
そして、タッチが発生する場合、Ｖｐｕｌとして１．８Ｖを与え、Ｖｏｓｐ−Ｖｏｓｎは１Ｖになる。Ｃｆは１Ｃ、Ｃｍは０．７５Ｃに低下し、Ｃｔは２Ｃになる。
【００４５】
したがって、この場合の出力電圧値（ＳＯＰ−ＳＯＮ）は、１．５Ｖｐｕｌ−２（Ｖｏｓｐ−Ｖｏｓｎ）＋２（Ｖｐｂｓ−Ｖｎｂｓ）になる。このとき、アナログ／デジタル変換部の出力は３５８Ｃｏｄｅ＠１０Ｂｉｔとなる。この場合、出力電圧がＡＤＣの入力範囲内であるので、オフセットが不要である。同様に数式にて計算してみると、１．５＊１．８−２＊１＋２＊０＝７００ｍＶになり、７０ｍＶ／１．９５３ｍＶ＝３５８Ｃｏｄｅになるので、ＡＤＣ出力がいずれも「ｌｏｗ」ではないためエラー較正が不要となる。
【００４６】
以下、外部環境によってパネルに変化が発生する場合について考慮してみる。
タッチがない状態でタッチパネルのＣｍが増加する場合について説明する。
Ｖｐｕｌとして１．８Ｖを与え、Ｃｆは１Ｃ、Ｃｍは１．５Ｃになり、Ｃｔは２Ｃとする。したがって、この場合の出力電圧値（ＳＯＰ−ＳＯＮ）は、上記式５に適用すると、３Ｖｐｕｌ−２（Ｖｏｓｐ−Ｖｏｓｎ）＋１（Ｖｐｂｓ−Ｖｎｂｓ）になる。このとき、アナログ／デジタル変換部は上限の入力範囲を超える（ｏｖｅｒｆｌｏｗ）値となる。この場合、負（−）のオフセットにて出力値を較正して、アナログ／デジタル変換部の入力範囲に出力電圧値を較正することができる。これについて具体的な数値の例を代入してみると、３＊１．８−２＊１＋２＊０＝３．４Ｖで２Ｖを超えているためｏｖｅｒｆｌｏｗと判断するようになる。この場合、基準電圧と２Ｖとの差を計算し、この差だけエラーを較正するようになる。
【００４７】
Ｃｍが増加した場合においてタッチが発生する場合について説明する。
Ｖｐｕｌとして１．８Ｖを与え、Ｃｆは１Ｃ、Ｃｍは１．２５Ｃになり、Ｃｔは２Ｃとする。したがって、この場合の出力電圧値（ＳＯＰ−ＳＯＮ）は、上記式５に適用すると、２．５Ｖｐｕｌ−２（Ｖｏｓｐ−Ｖｏｓｎ）＋２（Ｖｐｂｓ−Ｖｎｂｓ）になる。このとき、アナログ／デジタル変換部の上限の入力範囲を超えるｏｖｅｒｆｌｏｗ値となる。この場合においても同様に負（−）のオフセットにて出力値を較正して、アナログ／デジタル変換部の入力範囲に出力電圧値を較正することができる。
【００４８】
Ｃｍが低下した場合においてタッチが発生しない場合について説明する。
Ｖｐｕｌとして１．８Ｖを与え、Ｃｆは１Ｃ、Ｃｍは０．５Ｃになり、Ｃｔは２Ｃとする。したがって、この場合の出力電圧値（ＳＯＰ−ＳＯＮ）は、上記式５に適用すると、Ｖｐｕｌ−２（Ｖｏｓｐ−Ｖｏｓｎ）＋２（Ｖｐｂｓ−Ｖｎｂｓ）になる。このとき、アナログ／デジタル変換部の下限の入力範囲を超える（ｕｎｄｅｒｆｌｏｗ）値となる。この場合、正（＋）のオフセットにて出力値を較正して、アナログ／デジタル変換部の入力範囲に出力電圧値を較正することができる。これについて具体的な数値の例を代入してみると、１．８−２＊１＋２＊０＝−０．２Ｖになり、これはＡＤＣの入力範囲よりも２００ｍＶ程度小さい値であるためエラー較正が必要となる。すなわち、（＋）オフセットが必要となる。
【００４９】
Ｃｍが低下した場合においてタッチが発生する場合について説明する。
Ｖｐｕｌとして１．８Ｖを与え、Ｃｆは１Ｃ、Ｃｍは０．２５Ｃになり、Ｃｔは２Ｃとする。したがって、この場合の出力電圧値（ＳＯＰ−ＳＯＮ）は、上記式５に適用すると、０．５Ｖｐｕｌ−２（Ｖｏｓｐ−Ｖｏｓｎ）＋２（Ｖｐｂｓ−Ｖｎｂｓ）になる。このとき、アナログ／デジタル変換部の下限の入力範囲を超える（ｕｎｄｅｒｆｌｏｗ）値となる。この場合においても同じく正（＋）のオフセットにて出力値を較正して、アナログ／デジタル変換部の入力範囲に出力電圧値を較正することができる。
【００５０】
図４及び図５は、本発明の実施形態による基準電圧較正部及びエラー較正部による較正効果を示す。図５は、Ｃｍが増加すると負のオフセットにて出力電圧を較正し、Ｃｍが低下すると正のオフセットにて出力電圧を較正することを示す。
【００５１】
図５を参照すると、Ａラインが基準電圧になり、電圧値がＢラインを超える、すなわちＡＤＣの入力範囲の上限値を超える値となると（ｏｖｅｒｆｌｏｗ）、電圧値をエラー較正によってＢライン以内にダウン較正（ｓｈｉｆｔ−ｄｏｗｎ）をし、電圧値がＣラインより下に、すなわちＡＤＣの入力範囲の下限値を超える値となると（ｕｎｄｅｒｆｌｏｗ）、電圧値をエラー較正によってＣラインの上になるようにアップ較正（ｓｈｉｆｔ−ｕｐ）をすることができる。このとき、Ｂライン及びＣラインのようにオーバーフロー（ｏｖｅｒｆｌｏｗ）及びアンダーフロー（ｕｎｄｅｒｆｌｏｗ）の基準になる電圧値は、実際のＡＤＣの入力範囲よりも少し小さくまたは大きく設定することができる。これは、ＡＤＣのオフセット及び様々な要因によりＡＤＣ出力コードが時間軸上において僅かのバラツキをみせる現象を考慮したものである。
【００５２】
図６は、本発明によるタッチパネルの駆動装置の制御のための信号のタイミングを示す図であり、図７は、図６のタイミング図に示された信号にて制御される差動増幅器の構成要素をそれぞれ示す図である。
【００５３】
以上の説明は、本発明の技術思想を例示的に説明したものに過ぎず、本発明の属する技術分野における通常の知識を有する者ならば、本発明の本質的な特性から逸脱しない範囲で種々の修正及び変形が可能であろう。したがって、本発明に開示された実施形態は、本発明の技術思想を限定するためのものではなく説明するためのものに過ぎず、このような実施形態によって本発明の技術思想の範囲が限定されるものではない。本発明の保護範囲は、特許請求の範囲によって解釈されるべきであり、それと同等な範囲内にあるすべての技術思想は、本発明の権利範囲に含まれることと解釈されるべきである。
【符号の説明】
【００５４】
１００：タッチパネル
２００：差動増幅器
３００：サンプリング部
４００：マルチプレクサ
５００：アナログ／デジタル変換部
６００：基準電圧較正部
７００：エラー較正部
【図１】
2011198367.tif 000008
【図２】
2011198367.tif 000009
【図３】
2011198367.tif 000010
【図４】
2011198367.tif 000011
【図５】
2011198367.tif 000012
【図６】
2011198367.tif 000013
【図７】
2011198367.tif 000014